(57)【要約】【課題】遊技用記録媒体の取扱い端末と管理装置の間で通信を行うことが不可能になった場合でも、遊技用記録媒体に関する取扱い処理を行うことを課題とする。【解決手段】プリペイドカード管理システム３において、ＣＲユニット３０では、プリペイドカード管理Ｔ／Ｃ１０とは別に、プリペイドカード管理Ｔ／Ｃ１０との通信が不可能である場合（対Ｔ／Ｃ通信不能時）に備えてプリペイドカードの残度数をＣＲユニット３０にて分散管理し、さらに、カード精算機６０では、対Ｔ／Ｃ通信不能時には、プリペイドカード管理Ｔ／Ｃ１０に対する問合せの代替えとして、プリペイドカードに書き込んだ台番号に対応するＣＲユニット３０にプリペイドカードの残度数を問合せる。【選択図】        図２
2008036123.tif 000002
【特許請求の範囲】
【請求項１】
遊技場にて使用される遊技用記録媒体に記録された識別情報に対応する有価価値を管理する管理装置と、前記管理装置が管理する遊技用記録媒体の有価価値に基づいて遊技媒体の貸出し処理を行う複数の台間機とを有する遊技用記録媒体管理システムであって、
前記台間機は、
当該台間機を一意に特定する台間機識別情報を前記遊技用記録媒体に格納する台間機情報格納手段と、
前記遊技用記録媒体が記録する識別情報に、前記管理装置が管理する遊技用記録媒体の有価価値を対応付けて記憶する価値情報記憶手段とを備え、
前記管理装置が管理する遊技用記録媒体の有価価値を取り扱う取扱い端末を備え、
前記取扱い端末は、
当該取扱い端末が前記管理装置と通信を行うことが可能であるか否かを判定する通信可否判定手段と、
前記遊技用記録媒体を受け入れた場合に、当該遊技用記録媒体から台間機識別情報を取り出す台間機情報取出手段と、
前記通信可否判定手段によって前記管理装置と通信を行うことが不可能であると判定された場合に、前記台間機情報取出手段によって取り出された台間機識別情報に対応する台間機に対して、当該遊技用記録媒体の有価価値を問合せる価値情報問合せ手段と、
前記価値情報問合せ手段による問合せの応答結果として得られた有価価値の取扱い処理を行う取扱い処理手段とを備えた
ことを特徴とする遊技用記録媒体管理システム。
【請求項２】
前記取扱い端末は、前記遊技用記録媒体を受け入れて、該受け入れた遊技用記録媒体を前記管理装置が管理する有価価値に基づいて貨幣に精算する記録媒体精算機であって、
前記通信可否判定手段は、当該記録媒体精算機が前記管理装置と通信を行うことが可能であるか否かを判定し、
前記台間機情報取出手段は、前記遊技用記録媒体を受け入れた場合に、当該遊技用記録媒体から台間機識別情報を取り出し、
前記価値情報問合せ手段は、前記通信可否判定手段によって当該記録媒体精算機が前記管理装置と通信を行うことが不可能であると判定された場合に、前記台間機情報取出手段によって取り出された台間機識別情報に対応する台間機に対して、当該遊技用記録媒体の有価価値を問合せ、
前記取扱い処理手段は、前記価値情報問合せ手段による問合せの応答結果として得られた有価価値に基づいて、当該遊技用記録媒体を貨幣に精算することを特徴とする請求項１に記載の遊技用記録媒体管理システム。
【請求項３】
前記取扱い端末は、前記台間機であって、
前記通信可否判定手段は、当該台間機が前記管理装置と通信を行うことが可能であるか否かを判定し、
前記台間機情報取出手段は、前記遊技用記録媒体を受け入れた場合に、当該遊技用記録媒体から台間機識別情報を取り出し、
前記価値情報問合せ手段は、前記通信可否判定手段によって当該台間機が前記管理装置と通信を行うことが不可能であると判定された場合に、前記台間機情報取出手段によって取り出された台間機識別情報に対応する台間機に対して、当該遊技用記録媒体の有価価値を問合せ、
前記取扱い処理手段は、前記価値情報問合せ手段による問合せの応答結果として得られた有価価値に基づいて遊技媒体の貸出し処理を行うことを特徴とする請求項１に記載の遊技用記録媒体管理システム。
【請求項４】
前記取扱い端末は、
前記取扱い処理手段による遊技用記録媒体の有価価値の取扱い結果の履歴を蓄積する履歴蓄積手段と、
前記通信可否判定手段によって前記管理装置との通信が復旧したと判定された場合に、前記履歴蓄積手段によって蓄積された取扱い結果の履歴を前記管理装置に通知する履歴通知手段とをさらに備えたことを特徴とする請求項１、２または３に記載の遊技用記録媒体管理システム。
【請求項５】
遊技場にて使用される遊技用記録媒体に記録された識別情報に対応する有価価値を管理する管理装置と、前記管理装置が管理する遊技用記録媒体の有価価値に基づいて遊技媒体の貸出し処理を行う台間機とを有する遊技用記録媒体管理システムに用いる遊技用記録媒体管理方法であって、
当該台間機を一意に特定する台間機識別情報を前記遊技用記録媒体に格納する台間機情報格納工程と、
前記遊技用記録媒体が記録する識別情報に、前記管理装置が管理する遊技用記録媒体の有価価値を対応付けて価値情報記憶手段に登録する価値情報登録工程と、
前記管理装置が管理する遊技用記録媒体の有価価値を取り扱う取扱い端末が前記管理装置と通信を行うことが可能であるか否かを判定する通信可否判定工程と、
前記遊技用記録媒体を受け入れた場合に、当該遊技用記録媒体から台間機識別情報を取り出す台間機情報取出工程と、
前記通信可否判定工程によって前記管理装置と通信を行うことが不可能であると判定された場合に、前記台間機情報取出工程によって取り出された台間機識別情報に対応する台間機に対して、当該遊技用記録媒体の有価価値を問合せる価値情報問合せ工程と、
前記価値情報問合せ工程による問合せの応答結果として得られた有価価値の取扱い処理を行う取扱い処理工程と
を含んだことを特徴とする遊技用記録媒体管理方法。
【発明の詳細な説明】
【技術分野】
【０００１】
本発明は、遊技場にて使用される遊技用記録媒体（磁気カード、ＩＣカード、ＩＣコインなど）に記録された識別情報に対応する有価価値を管理する管理装置と、前記管理装置が管理する遊技用記録媒体の有価価値に基づいて遊技媒体の貸出し処理を行う台間機とを有する遊技用記録媒体管理システム及び遊技用記録媒体管理方法に関する。
【背景技術】
【０００２】
従来より、パチンコ遊技やスロット遊技などの遊技を提供する遊技システムにおいては、遊技客は、パチンコ機やパチスロ機などの遊技機ごとに配設された玉貸し機やメダル貸し機などの台間機からパチンコ玉やメダルなどの遊技媒体を借り受け、この遊技媒体を遊技機に打込／投入して遊技を行っている。
【０００３】
かかる遊技システムの台間機としては、投入された貨幣の価値に基づいて遊技媒体を貸し出すものよりも、近年では、投入されたプリペイドカード（貨幣の金額または金額に相当する価値を示す価値データそのものを記録したものや、カード以外の場所に記録した価値データを検索するための識別データを記録したものなど）の価値に基づいて遊技媒体を貸し出すものが一般的になってきている。
【０００４】
具体的には、遊技客が台間機又はカード発行機に貨幣を投入することにより購入したプリペイドカードを用いるものであり、遊技客により台間機にプリペイドカードが投入されて所定の貸出ボタンが押下されると、プリペイドカードの価値から所定分の価値を減じつつ、該減じた価値分のパチンコ玉又はメダルを払い出すというものである。
【０００５】
ところで、台間機に投入されるプリペイドカードは、貨幣のように自身の価値が生活のあらゆる局面で通用するというものではなく、遊技店内でのみ自身の価値が通用するものであるため、プリペイドカードの価値に残高がある場合には、その残高分の価値を貨幣にて遊技客に精算することが望ましい。
【０００６】
このことから、近年では、プリペイドカードの価値を現金にて精算するカード精算機を有する記録媒体精算システムが登場しており、かかるカード精算機においては、遊技客によりプリペイドカードが投入されると、投入されたプリペイドカードの価値の残高（残度数）と該残度数に対して精算可能な金額（精算可能金額）とを表示し、その精算可能金額に相当する貨幣を遊技客に払い出すことが一般的におこなわれている（例えば、特許文献１参照。）。
【０００７】
より詳細には、この記録媒体精算システムでは、プリペイドカードに記録された識別情報（プリペイドカードＩＤ）に対応する価値（度数）を管理装置にて記憶管理しており、プリペイドカードの挿入及びそのプリペイドカードの精算要求をカード精算機にて受け付けた場合に、このカード精算機は、プリペイドカードＩＤに対応する残度数を管理装置に問合せ、この問合せ応答にて得られたプリペイドカードの残度数に相当する貨幣を払出す精算処理を行っている。
【０００８】
このように、遊技店においては、管理装置が管理するプリペイドカードの残度数を取り扱うカード精算機や台間機などの取扱い端末にて、プリペイドカードの精算やプリペイドカードによる遊技媒体の貸出しなどの取扱い処理を行っている。
【０００９】
【特許文献１】特開２００１−１０４６２０号公報
【発明の開示】
【発明が解決しようとする課題】
【００１０】
しかしながら、上記した従来技術（特許文献１）では、管理装置の故障及び通信障害などの要因により取扱い端末と管理装置の間で通信を行うことが不可能になった場合に、取扱い端末にて遊技用記録媒体の精算要求や遊技用記録媒体による遊技媒体の貸出要求などの取扱い要求を受け付けたとしても、その遊技用記録媒体の残度数を管理装置に問合せることができないので、遊技用記録媒体の残度数が不明となり、遊技用記録媒体に関する取扱い処理を行うことができないという問題点があった。
【００１１】
そこで、本発明は、上述した従来技術による課題（問題点）を解消するためになされたものであり、遊技用記録媒体の取扱い端末と管理装置の間で通信を行うことが不可能になった場合でも、遊技用記録媒体に関する取扱い処理を行うことができる遊技用記録媒体管理システム及び遊技用記録媒体管理方法を提供することを目的とする。
【課題を解決するための手段】
【００１２】
上述した課題を解決し、目的を達成するために、請求項１の発明に係る遊技用記録媒体管理システムは、遊技場にて使用される遊技用記録媒体に記録された識別情報に対応する有価価値を管理する管理装置と、前記管理装置が管理する遊技用記録媒体の有価価値に基づいて遊技媒体の貸出し処理を行う複数の台間機とを有する遊技用記録媒体管理システムであって、前記台間機は、当該台間機を一意に特定する台間機識別情報を前記遊技用記録媒体に格納する台間機情報格納手段と、前記遊技用記録媒体が記録する識別情報に、前記管理装置が管理する遊技用記録媒体の有価価値を対応付けて記憶する価値情報記憶手段とを備え、前記管理装置が管理する遊技用記録媒体の有価価値を取り扱う取扱い端末を備え、前記取扱い端末は、当該取扱い端末が前記管理装置と通信を行うことが可能であるか否かを判定する通信可否判定手段と、前記遊技用記録媒体を受け入れた場合に、当該遊技用記録媒体から台間機識別情報を取り出す台間機情報取出手段と、前記通信可否判定手段によって前記管理装置と通信を行うことが不可能であると判定された場合に、前記台間機情報取出手段によって取り出された台間機識別情報に対応する台間機に対して、当該遊技用記録媒体の有価価値を問合せる価値情報問合せ手段と、前記価値情報問合せ手段による問合せの応答結果として得られた有価価値の取扱い処理を行う取扱い処理手段とを備えたことを特徴とする。
【００１３】
また、請求項２の発明に係る遊技用記録媒体管理システムは、上記の発明において、前記取扱い端末は、前記遊技用記録媒体を受け入れて、該受け入れた遊技用記録媒体を前記管理装置が管理する有価価値に基づいて貨幣に精算する記録媒体精算機であって、前記通信可否判定手段は、当該記録媒体精算機が前記管理装置と通信を行うことが可能であるか否かを判定し、前記台間機情報取出手段は、前記遊技用記録媒体を受け入れた場合に、当該遊技用記録媒体から台間機識別情報を取り出し、前記価値情報問合せ手段は、前記通信可否判定手段によって当該記録媒体精算機が前記管理装置と通信を行うことが不可能であると判定された場合に、前記台間機情報取出手段によって取り出された台間機識別情報に対応する台間機に対して、当該遊技用記録媒体の有価価値を問合せ、前記取扱い処理手段は、前記価値情報問合せ手段による問合せの応答結果として得られた有価価値に基づいて、当該遊技用記録媒体を貨幣に精算することを特徴とする。
【００１４】
また、請求項３の発明に係る遊技用記録媒体管理システムは、上記の発明において、前記取扱い端末は、前記台間機であって、前記通信可否判定手段は、当該台間機が前記管理装置と通信を行うことが可能であるか否かを判定し、前記台間機情報取出手段は、前記遊技用記録媒体を受け入れた場合に、当該遊技用記録媒体から台間機識別情報を取り出し、前記価値情報問合せ手段は、前記通信可否判定手段によって当該台間機が前記管理装置と通信を行うことが不可能であると判定された場合に、前記台間機情報取出手段によって取り出された台間機識別情報に対応する台間機に対して、当該遊技用記録媒体の有価価値を問合せ、前記取扱い処理手段は、前記価値情報問合せ手段による問合せの応答結果として得られた有価価値に基づいて遊技媒体の貸出し処理を行うことを特徴とする。
【００１５】
また、請求項４の発明に係る遊技用記録媒体管理システムは、上記の発明において、前記取扱い端末は、前記取扱い処理手段による遊技用記録媒体の有価価値の取扱い結果の履歴を蓄積する履歴蓄積手段と、前記通信可否判定手段によって前記管理装置との通信が復旧したと判定された場合に、前記履歴蓄積手段によって蓄積された取扱い結果の履歴を前記管理装置に通知する履歴通知手段とをさらに備えたことを特徴とする。
【００１６】
また、請求項５の発明に係る遊技用記録媒体管理方法は、遊技場にて使用される遊技用記録媒体に記録された識別情報に対応する有価価値を管理する管理装置と、前記管理装置が管理する遊技用記録媒体の有価価値に基づいて遊技媒体の貸出し処理を行う台間機とを有する遊技用記録媒体管理システムに用いる遊技用記録媒体管理方法であって、当該台間機を一意に特定する台間機識別情報を前記遊技用記録媒体に格納する台間機情報格納工程と、前記遊技用記録媒体が記録する識別情報に、前記管理装置が管理する遊技用記録媒体の有価価値を対応付けて価値情報記憶手段に登録する価値情報登録工程と、前記管理装置が管理する遊技用記録媒体の有価価値を取り扱う取扱い端末が前記管理装置と通信を行うことが可能であるか否かを判定する通信可否判定工程と、前記遊技用記録媒体を受け入れた場合に、当該遊技用記録媒体から台間機識別情報を取り出す台間機情報取出工程と、前記通信可否判定工程によって前記管理装置と通信を行うことが不可能であると判定された場合に、前記台間機情報取出工程によって取り出された台間機識別情報に対応する台間機に対して、当該遊技用記録媒体の有価価値を問合せる価値情報問合せ工程と、前記価値情報問合せ工程による問合せの応答結果として得られた有価価値の取扱い処理を行う取扱い処理工程とを含んだことを特徴とする。
【発明の効果】
【００１７】
本発明によれば、台間機が、当該台間機を一意に特定する台間機識別情報を遊技用記録媒体に格納し、遊技用記録媒体が記録する識別情報に、管理装置が管理する遊技用記録媒体の有価価値を対応付けて記憶し、管理装置が管理する遊技用記録媒体の有価価値を取り扱う取扱い端末が、当該取扱い端末が管理装置と通信を行うことが可能であるか否かを判定し、遊技用記録媒体を受け入れた場合に、当該遊技用記録媒体から台間機識別情報を取り出し、管理装置と通信を行うことが不可能であると判定した場合に、取り出した台間機識別情報に対応する台間機に対して、当該遊技用記録媒体の有価価値を問合せ、問合せの応答結果として得られた有価価値の取扱い処理を行うこととしたので、遊技用記録媒体の有価価値を取扱い端末にて把握することができ、遊技用記録媒体の精算や遊技用記録媒体による遊技媒体の貸出しなど遊技用記録媒体に関する取扱い処理を行うことが可能な遊技用記録媒体管理システム及び遊技用記録媒体管理方法が得られるという効果を奏する。さらに、台間機のメモリなどの記憶装置にて遊技用記録媒体の識別情報に有価価値を対応付けて記憶させ、対管理装置通信不能時における取扱い端末の有価価値問合せ先を変更するというソフトウェア的な改変のみで本発明の機能を発揮することができるので、遊技店の設備投資費用を増大させることなく、遊技用記録媒体に取扱い処理を行うことが可能になる。
【００１８】
また、本発明によれば、記録媒体精算機が管理装置と通信を行うことが可能であるか否かを判定し、遊技用記録媒体を受け入れた場合に、当該遊技用記録媒体から台間機識別情報を取り出し、当該記録媒体精算機が管理装置と通信を行うことが不可能であると判定した場合に、取り出した台間機識別情報に対応する台間機に対して、当該遊技用記録媒体の有価価値を問合せ、問合せの応答結果として得られた有価価値に基づいて、当該遊技用記録媒体を貨幣に精算することとしたので、対管理装置通信不能時でも遊技用記録媒体の有価価値を記録媒体精算機にて把握することができ、記録媒体精算機と管理装置の間で通信を行うことが不可能になった場合でも、遊技用記録媒体の精算を行うことが可能な遊技用記録媒体管理システムが得られるという効果を奏する。
【００１９】
また、本発明によれば、台間機が管理装置と通信を行うことが可能であるか否かを判定し、遊技用記録媒体を受け入れた場合に、当該遊技用記録媒体から台間機識別情報を取り出し、当該台間機が管理装置と通信を行うことが不可能であると判定した場合に、取り出した台間機識別情報に対応する台間機に対して、当該遊技用記録媒体の有価価値を問合せ、問合せの応答結果として得られた有価価値に基づいて遊技媒体の貸出し処理を行うこととしたので、対管理装置通信不能時でも遊技用記録媒体の有価価値を台間機にて把握することができ、台間機と管理装置の間で通信を行うことが不可能になった場合でも、遊技用記録媒体による遊技媒体の貸出しを行うことが可能な遊技用記録媒体管理システムが得られるという効果を奏する。
【００２０】
また、本発明によれば、遊技用記録媒体の有価価値の取扱い結果の履歴を蓄積し、管理装置との通信が復旧したと判定した場合に、蓄積した取扱い結果の履歴を管理装置に通知することとしたので、取扱い端末と管理装置の間で通信を行うことが不可能になった場合でも遊技用記録媒体の取扱い状況を正確に管理することができ、管理装置にて遊技用記録媒体による売上情報を適正に管理させることが可能な遊技用記録媒体管理システムが得られるという効果を奏する。
【発明を実施するための最良の形態】
【００２１】
以下の添付図面を参照して、本発明に係る遊技用記録媒体管理システム及び遊技用記録媒体管理方法の好適な実施例を詳細に説明する。なお、以下では、本発明に係る遊技用記録媒体管理システム（遊技用記録媒体管理方法）を実施例１として説明した後に、本発明に含まれる他の実施例を実施例２として説明する。
【実施例１】
【００２２】
以下の実施例１では、実施例１に係る遊技用記録媒体管理システム（以下、プリペイドカード管理システム）の概要および特徴、システムを構成する各装置の構成および処理の流れを順に説明する。なお、本実施例１では、本発明をパチンコ遊技を対象とする遊技システムに適用することとする。
【００２３】
［概要および特徴（実施例１）］
まず最初に、図１及び図２を用いて、実施例１に係るプリペイドカード管理システムの概要および特徴を説明する。図１は、実施例１に係る遊技システムのシステム構成を示すシステム構成図である。また、図２は、実施例１に係るプリペイドカード管理システムの特徴を説明するための説明図である。
【００２４】
図１に示すように、遊技店内に設置される遊技システム１は、プリペイドカードに関連付けられた度数の残数を管理するための管理装置、ターミナルコントローラ（以下、プリペイドカード管理Ｔ／Ｃと称す。）１０を頂点にして、「島」と呼ばれるグループごとに設けられた島コントローラ２０、カード発行機５０及びカード精算機６０が接続された構成となる。さらに、島コントローラ２０には、各島に設置された複数のパチンコ機４０それぞれに併設されたカード処理ユニット（以下、適宜これをＣＲユニット３０と言う）が接続されている。
【００２５】
この遊技システム１では、プリペイドカードＰＣ（ＣＲユニット３０及びカード発行機５０により遊技者に対して発行され、発行店の識別情報、カード固有の識別コード、発行額、カード種別などが記録される）を遊技用記録媒体として用いることができる。
【００２６】
ＣＲユニット３０は、プリペイドカードＰＣに関連付けられた度数の残数（以下、残度数と言う）を上限としてパチンコ玉の貸し出し処理をおこなうことを主機能とするものであり、パチンコ玉を遊技領域に発射して遊技者が遊技を行うパチンコ機４０それぞれに対して１台ずつペアとなるように用意され、パチンコ機４０の相互間に挟まれる形で設置してある。
【００２７】
また、このＣＲユニット３０は、遊技客の利便性を向上させる観点から、遊技客によって挿入された紙幣を受け入れた際に、内部のカード収納部にて収納する内蔵カードをプリペイドカードＰＣとして発行する機能が付加されており、このカード収納部は、内部収納容量として最大「１０枚」の内蔵カードを収納することができるように構成されている。なお、カード収納部には、残度数が価値付けられていないプリペイドカードのみが収納されている。
【００２８】
カード発行機５０は、現金が入金された場合に、該入金金額に応じた有価価値（度数）が関連付けられるプリペイドカードＰＣの発行処理並びにプリペイドカードＰＣに関連付けられた度数に対する加算処理を主機能とするものであり、遊技店に数台設置されている。また、カード精算機６０は、プリペイドカードＰＣに関連付けられた残度数の精算処理を主機能とするものであり、具体的には、プリペイドカードＰＣの回収と引き換えに残度数に相当する現金を払出すものである。
【００２９】
遊技者は、カード発行機５０から発行されたプリペイドカードＰＣをＣＲユニット３０に挿入して、パチンコ玉の貸出操作を行うことに加え、ＣＲユニット３０に現金を投入することにより、ＣＲユニット単体でのプリペイドカードＰＣの発行を受けて、パチンコ玉を借り受けることができ、もってパチンコ遊技を行うことが可能となる。
【００３０】
これらのＣＲユニット３０、パチンコ機４０、カード発行機５０及びカード精算機６０は、プリペイドカード管理Ｔ／Ｃ１０と称される管理装置と接続され、このプリペイドカード管理Ｔ／Ｃ１０の制御下に置かれている。
【００３１】
プリペイドカード管理Ｔ／Ｃ１０は、プリペイドカードの識別情報（プリペイドカードＩＤ）及びこのプリペイドカードの残度数を記憶管理する装置である。例えば、ＣＲユニット３０にて高額紙幣が挿入された場合には、ＣＲユニット３０から発行対象となる内蔵カードのプリペイドカードＩＤとともに挿入紙幣の金額を受け付け、当該プリペイドカードＩＤに挿入紙幣分の金額を価値付けた後、ＣＲユニット３０に「価値付け完了通知」を返信する。なお、本実施例では、カードに記録した磁気データを改ざんするなどの不正行為を防止する観点から、プリペイドカードには「度数」を記録せず、プリペイドカードＩＤのみを記録する構成を採用することとする。
【００３２】
この遊技システム１内には、遊技場にて使用されるプリペイドカードＰＣに記録されたプリペイドカードＩＤに対応する残度数を記憶管理するプリペイドカード管理Ｔ／Ｃ１０と、プリペイドカード管理Ｔ／Ｃ１０が記憶管理するプリペイドカードＰＣの残度数に基づいてパチンコ玉の貸出し処理を行うＣＲユニット３０と、プリペイドカードＰＣを受け入れて、該受け入れたプリペイドカードＰＣをプリペイドカード管理Ｔ／Ｃ１０が管理する残度数に基づいて貨幣に精算するカード精算機６０とからなるプリペイドカード管理システム３が設けられている。
【００３３】
ここで、本実施例１に係るプリペイドカード管理システム３は、ＣＲユニット３０が、当該ＣＲユニット３０を一意に特定する台間機識別情報（以下、台番号と言う）をプリペイドカードに格納する一方で、プリペイドカードが記録するプリペイドカードＩＤに、プリペイドカード管理Ｔ／Ｃ１０が管理するプリペイドカードの残度数を対応付けて記憶し、カード精算機６０が、プリペイドカードを受け入れた場合に、当該プリペイドカードから台番号を取り出すとともに、当該カード精算機６０がプリペイドカード管理Ｔ／Ｃ１０と通信を行うことが可能であるか否かを判定し、プリペイドカード管理Ｔ／Ｃ１０と通信を行うことが不可能であると判定した場合に、取り出した台番号に対応する台間機に対して、当該プリペイドカードの残度数を問合せ、残度数問合せの応答結果として得られた残度数に基づいて、当該プリペイドカードを貨幣に精算する点に主たる特徴があり、かかる一連の処理によって、カード精算機６０とプリペイドカード管理Ｔ／Ｃ１０の間で通信を行うことが不可能になった場合でも、プリペイドカードの精算を行うことができるようにしている。
【００３４】
すなわち、このプリペイドカード管理システム３においてカード精算機６０では、プリペイドカードの精算を行うに際してプリペイドカード管理Ｔ／Ｃ１０にプリペイドカードの残度数を問合せる必要があるが、プリペイドカードの残度数をプリペイドカード管理Ｔ／Ｃ１０に画一的に問合せるようなことはしない。つまり、故障及び通信障害などの要因により、プリペイドカード管理Ｔ／Ｃ１０と通信不可能である場合には、プリペイドカードに格納された台番号に対応するＣＲユニット３０にプリペイドカードの残度数を問合せるようにしている。
【００３５】
さらに、このような残度数問合せに応答するＣＲユニット３０では、プリペイドカード管理Ｔ／Ｃ１０とは独立して、自身に挿入されたプリペイドカードの残度数を記憶しておくとともに、そのプリペイドカードの残度数問合せ先が当該ＣＲユニット３０であることをカード精算機６０に把握させるために、挿入中のプリペイドカードに当該ＣＲユニットの台番号を格納するようにしている。
【００３６】
これらＣＲユニット３０及びカード精算機６０の動作うち、ＣＲユニット３０によるものは、プリペイドカード管理Ｔ／Ｃ１０との通信が可能である場合（対Ｔ／Ｃ通信可能時）に、プリペイドカード管理Ｔ／Ｃ１０とは別に、プリペイドカードの残度数を対Ｔ／Ｃ通信不能時に備えて分散管理するものであり、また、カード精算機６０によるものは、プリペイドカード管理Ｔ／Ｃ１０との通信が不可能である場合（対Ｔ／Ｃ通信不能時）に、プリペイドカード管理Ｔ／Ｃ１０に対する問合せの代替えとして行われるものであるので、対Ｔ／Ｃ通信可能時及び対Ｔ／Ｃ通信不能時に分け、これらを対Ｔ／Ｃ通信可能時のＣＲユニット３０の動作→対Ｔ／Ｃ通信不能時のカード精算機６０の動作の順に説明する。
【００３７】
これを踏まえて特徴を具体的に説明すると、図２に示すように、ＣＲユニット３０では、プリペイドカードが挿入されると、そのプリペイドカードからプリペイドカードＩＤ「０００１」を読み取り（１）、このプリペイドカードＩＤ「０００１」に対応する残度数をプリペイドカード管理Ｔ／Ｃ１０に問合せて（２）、プリペイドカードＩＤ「０００１」の残度数「５０度数」を取得した後に、当該プリペイドカードのプリペイドカードＩＤ「０００１」及び残度数「５０度数」を所定の記憶部に登録する（３）とともに、当該ＣＲユニット３０の台番号「７７」をプリペイドカードに書込み（４）、その後、遊技客によるプリペイドカードの返却操作が行われた際に、台番号「７７」が格納されたプリペイドカードを遊技客に返却する。
【００３８】
そのＴ秒後、プリペイドカード管理Ｔ／Ｃ１０が故障によりダウンしてから、カード精算機６０にてプリペイドカードの挿入及びそのプリペイドカードの精算要求を受け付けた場合、カード精算機６０は、挿入されたプリペイドカードからプリペイドカードＩＤ「０００１」及び台番号「７７」を読み取り（５）、プリペイドカード管理Ｔ／Ｃ１０との通信が不可能であることを確認してから（６）、当該台番号「７７」に対応するＣＲユニット３０に対して、プリペイドカードＩＤ「０００１」に対応する残度数を問合せて（７）、プリペイドカードＩＤ「０００１」の残度数「５０度数」を取得し、当該プリペイドカードを残度数「５０度数」に対応する金額「５０００円」の貨幣に精算する（８）。
【００３９】
このように、対Ｔ／Ｃ通信不能時に備えてＣＲユニット３０にてプリペイドカードの残度数を分散管理し、対Ｔ／Ｃ通信不能時には、プリペイドカード管理Ｔ／Ｃ１０の代わりにＣＲユニット３０にプリペイドカードの残度数を問合せることで、対Ｔ／Ｃ通信不能時でもプリペイドカードの残度数を把握することができるようにしている。
【００４０】
したがって、上記した従来技術の例でいえば、プリペイドカードの残度数をプリペイドカード管理Ｔ／Ｃ１０に画一的に問合せることで、対Ｔ／Ｃ通信不能時にプリペイドカードの残度数が不明になることに起因して精算不能状態に陥らせるのではなく、対Ｔ／Ｃ通信不能時に備えてＣＲユニット３０にてプリペイドカードの残度数を分散管理し、対Ｔ／Ｃ通信不能時には、プリペイドカード管理Ｔ／Ｃ１０の代わりにＣＲユニット３０にプリペイドカードの残度数を問合せることで、対Ｔ／Ｃ通信不能時でもプリペイドカードの残度数を把握することができ、上記した主たる特徴のように、カード精算機６０とプリペイドカード管理Ｔ／Ｃ１０の間で通信を行うことが不可能になった場合でも、プリペイドカードの精算を行うことが可能になる。
【００４１】
さらに、本実施例１に係るプリペイドカード管理システム３では、ＣＲユニット３０のメモリなどの記憶装置にてプリペイドカードＩＤに残度数を対応付けて記憶させ、対Ｔ／Ｃ通信不能時におけるカード精算機６０の残度数問合せ先を変更するというソフトウェア的な改変のみで本発明の機能を発揮することができるので、遊技店の設備投資費用を増大させることなく、プリペイドカードの精算を行うことが可能になる。
【００４２】
［プリペイドカード管理システムの構成］
続いて、実施例１に係るプリペイドカード管理システムを構成する各装置の構成を説明する。なお、ここでは、（１）ＣＲユニット３０の構成を説明した後に、（２）カード精算機６０の構成を説明する。
【００４３】
（１）ＣＲユニット３０の構成
前述したように、ここでは、実施例１に係るＣＲユニット３０の構成を説明するが、このＣＲユニット３０の外観構成を説明してから内部構成を説明する。図３は、実施例１に係るＣＲユニット３０の外観構成を示す正面図である。
【００４４】
同図に示すように、このＣＲユニット３０は、縦長の直方体型の筐体として構成したもので、その本体部前面の上寄りには、下方に向かって順に、状態表示ランプ３０１、カード状態表示ＬＥＤ３０２、リモコン受光部３１０、入金可能表示ＬＥＤ３０３が付設されている。
【００４５】
状態表示ランプ３０１は、当該ＣＲユニット３０が運用可能であるか否かを点灯色の切換えによって表すランプであり、例えば、「緑点灯」により運用可能な旨を表し、「赤点灯」により運用不能な旨を表す。
【００４６】
カード状態表示ＬＥＤ３０２は、当該ＣＲユニット３０に内蔵されるプリペイドカードの補充又は回収の要否を点灯／点滅によって表すＬＥＤであり、例えば、「点灯」によりプリペイドカードの補充が必要な旨を表し、「点滅」によりプリペイドカードの回収が必要な旨を表し、また、「消灯」によりプリペイドカードの補充及び回収が不要な旨を表す。
【００４７】
リモコン受光部３１０は、図示しない専用のリモコンから照射される赤外線を受光するものであり、リモコンから照射される赤外線を通じてＣＲユニット３０に対する各種操作（例えば、プリペイドカードの補充操作及び回収操作など）を受け付ける。
【００４８】
入金可能表示ＬＥＤ３０３は、当該ＣＲユニット３０に紙幣の入金が可能であるか否かを点灯／点滅によって表すＬＥＤであり、例えば、「点灯」により紙幣の入金が可能である旨を表し、また、「点滅」により紙幣の入金が不可能な旨を表す。
【００４９】
また、本体部前面の中央部には、高額紙幣（例えば、「一万円」、「五千円」や「二千円」など）を含む紙幣を挿入する紙幣挿入口３０８、及び、プリペイドカードや会員カードなどの各種カードを挿入するカード挿入口３０９が設けられている。
【００５０】
さらに、本体部前面の下寄りには、下方に向かって順に、７ＳＥＧ表示部３０４、モード表示部３０５、各種ボタン群、末尾同列に貸出ボタン３０６及び返却ボタン３０７が設けられている。
【００５１】
７ＳＥＧ表示部３０４は、７セグメントのＬＥＤから形成される表示部であり、当該ＣＲユニット３０のランニング表示を行うものである。例えば、挿入紙幣の金額、プリペイドカードの残度数、貯玉数、再プレイ回数やポイントを表示したり、或いは、専用のリモコンによってプリペイドカードの補充操作又は回収操作が行われている場合には、補充すべき枚数又は回収すべき枚数を表示したりする。
【００５２】
モード表示部３０５は、７ＳＥＧ表示部３０４にてどのモードの情報が表示されているかを表示するものである。例えば、「残度数」、「貯玉数」、「再プレイ回数」または「ポイント」のうちいずれの情報を７ＳＥＧ表示部３０４に表示しているかを該当ランプを点灯させることで表す。
【００５３】
貸出ボタン３０６は、遊技客による玉貸し要求を受け付ける操作ボタンであり、この貸出ボタン３０６が押下されると後述する玉貸し処理部３９ａにて「玉貸し処理」が行われる。また、返却ボタン３０７は、遊技客によるプリペイドカードの返却要求を受け付ける操作ボタンであり、この返却ボタン３０７が押下されると挿入中のプリペイドカードがカード挿入口３０９から返却される。
【００５４】
次に、図４を用いて、実施例１に係るＣＲユニット３０の内部構成を説明する。図４は、実施例１に係るＣＲユニット３０の内部構成を示すブロック図である。同図に示すように、このＣＲユニット３０は、表示部３１と、入力部３２と、通信制御ＩＦ部３３と、ＢＶユニット部３４と、リーダライタ３５と、カード収納部３６と、搬送／繰出機構部３７と、記憶部３８と、制御部３９とを備える。
【００５５】
表示部３１は、図３に示した状態表示ランプ３０１、カード状態表示ＬＥＤ３０２、入金可能ＬＥＤ３０３、７ＳＥＧ表示部３０４及びモード表示部３０５などの総称であり、また、入力部３２は、各種ボタン群、貸出ボタン３０６及び返却ボタン３０７などの総称である。
【００５６】
通信制御ＩＦ部３３は、当該ＣＲユニット３０と他の装置（例えば、プリペイドカード管理Ｔ／Ｃ１０、島コントローラ２０、パチンコ機４０やカード精算機６０などの装置）の間で各種通信の制御を行う処理部である。
【００５７】
ＢＶユニット部３４は、紙幣挿入口３０８に挿入された紙幣の金種を識別する紙幣識別機であり、識別した挿入紙幣の金種を制御部３９に出力する。なお、挿入紙幣が偽造紙幣である場合には、当該紙幣を返却する。
【００５８】
リーダライタ３５は、カード挿入口３０９に挿入されたプリペイドカードや会員カードなどの各種カードの読取り及び書込みを行うリーダライタであり、例えば、これら各種カードからプリペイドカードＩＤや会員ＩＤなどの情報を読み取ったり、また、台間機情報格納部３９ｂの指示に基づき当該ＣＲユニット３０の台番号を各種カードに書き込んだりする。
【００５９】
カード収納部３６は、残度数が価値付けられていないプリペイドカードを収納する収納部であり、遊技客がプリペイドカードを持参していなくとも現金により遊技可能にするため、事前に複数枚のプリペイドカードを収納したものである。例えば、遊技客によって紙幣が挿入されると、複数枚のプリペイドカードうちの一枚がリーダライタ３５の位置に繰り出され、現金による度数関連付けの対象とされる。
【００６０】
搬送／繰出機構部３７は、各種カードの搬送／繰出を行う機構部である。具体的には、カード挿入口３０９から挿入されたプリペイドカードをリーダライタ３５に搬送したり、リーダライタ３５内に保持されたプリペイドカードをカード収納部３６に搬送したり、また、カード収納部３６に収納された内蔵プリペイドカードをリーダライタ３５に繰り出したり、リーダライタ３５に保持されたプリペイドカードをカード挿入口３０９に繰り出したりする。
【００６１】
記憶部３８は、制御部３９による各種処理に必要なデータおよびプログラムを格納する格納手段（記憶手段）であり、本発明に関連する情報として、台番号情報３８ａ及び残度数情報３８ｂを記憶している。このうち、台番号情報３８ａは、当該ＣＲユニット３０に一意に採番された台番号の情報であり、また、残度数情報３８ｂは、当該ＣＲユニット３０に挿入されたことのあるプリペイドカードのプリペイドカードＩＤにその残度数が対応付けられた情報である。
【００６２】
制御部３９は、ＣＲユニット３０の全体制御を司る制御部であり、特に本発明に密接に関連するものとしては、玉貸し処理部３９ａ、台間機情報格納部３９ｂ及び精算履歴通知部３９ｃを備える。
【００６３】
このうち、玉貸し処理部３９ａは、パチンコ玉の貸出す「玉貸し処理」を行う処理部である。具体的には、残度数が存在するプリペイドカードが挿入された状態で、貸出ボタン３０６の押下を受け付けた場合に、パチンコ機４０に玉貸し指示を行ってパチンコ機４０内部の玉投出機構から所定度数分のパチンコ玉を投出させる。なお、本実施例１では、プリペイドカード管理Ｔ／Ｃ１０にて管理される売上情報が定常的に適正なものであることを担保するために、ＣＲユニット３０とプリペイドカード管理Ｔ／Ｃ１０の間で通信を行うことができない場合には、プリペイドカードによる玉貸しを禁止することとしている。
【００６４】
台間機情報格納部３９ｂは、当該ＣＲユニット３０を一意に特定する台間機識別情報をプリペイドカードに格納する処理部である。具体的には、カード収納部３６に内蔵されたプリペイドカードを発行した場合やカード挿入口３０９を通じて外部からプリペイドカードを受け入れた場合に、対Ｔ／Ｃ通信不能時におけるプリペイドカードの残度数問合せ先が当該ＣＲユニット３０であることをカード精算機６０に把握させるために、リーダライタ３５を通じて記憶部３８に記憶された台番号情報３８ａをプリペイドカードに書き込むように制御する。
【００６５】
ここで、ＣＲユニット３０において本発明の機能（残度数の登録・記憶並びに台番号の格納）が組み込まれた基本制御を説明すると、ＣＲユニット３０は、紙幣挿入口３０８より紙幣が挿入されると、搬送／繰出機構部３７を通じてカード収納部３６に収納された内蔵のプリペイドカードがリーダライタ３５に繰り出され、玉貸し処理部３９ａは、ＢＶユニット部３４にて判別された挿入紙幣の金額を当該プリペイドカードに価値付け、台間機情報格納部３９ｂは、リーダライタ３５を通じて記憶部３８に記憶された台番号情報３８ａをプリペイドカードに書き込む。なお、ここで言う「価値付け」とは、内蔵のプリペイドカードのプリペイドカードＩＤ及び挿入紙幣の金額に相当する残度数をプリペイドカード管理Ｔ／Ｃ１０に通知し、プリペイドカード管理Ｔ／Ｃ１０にて当該プリペイドカードＩＤに残度数を対応付けて記憶させる処理を指す。
【００６６】
そして、玉貸し処理部３９ａは、価値付けたプリペイドカードのプリペイドカードＩＤ及びその残度数を記憶部３８における残度数情報３８ｂに登録し、そのうち残度数を７ＳＥＧ表示部３０４に表示させる。
【００６７】
一方、カード挿入口３０９よりプリペイドカードが挿入されると、玉貸し処理部３９ａは、挿入されたプリペイドカードのプリペイドカードＩＤに対応する残度数をプリペイドカード管理Ｔ／Ｃ１０に問合せ、当該プリペイドカードの残度数が「０」であれば、搬送／繰出機構部３７に対してプリペイドカードの返却指示を行って当該プリペイドカードをカード挿入口３０９に繰り出させる。
【００６８】
また、当該プリペイドカードの残度数が「０」でなければ、台間機情報格納部３９ｂが、リーダライタ３５を通じて記憶部３８に記憶された台番号情報３８ａをプリペイドカードに書き込んだ後に、玉貸し処理部３９ａは、挿入を受け入れたプリペイドカードのプリペイドカードＩＤ及びその残度数を記憶部３８における残度数情報３８ｂに登録し、この残度数を７ＳＥＧ表示部３０４に表示させる。
【００６９】
その後、玉貸し処理部３９ａは、貸出ボタン３０６の押下を通じて玉貸し要求を受け付けた場合に、プリペイドカード管理Ｔ／Ｃ１０との通信が可能であれば、リーダライタ３５に保持されたプリペイドカードのプリペイドカードＩＤに対応する残度数を所定の度数分について減算するようにプリペイドカード管理Ｔ／Ｃ１０に指示し、この度数減算が完了した後にパチンコ機４０に所定の度数分のパチンコ玉を投出するように指示する「玉貸し処理」を行う。なお、プリペイドカード管理Ｔ／Ｃ１０との通信が不可能であれば、状態表示ランプ３０１を「赤点灯」させることにより玉貸し禁止状態である旨を報知する。
【００７０】
続いて、玉貸し処理部３９ａは、ＣＲユニット３０の記憶部３８に記憶された該当プリペイドカードＩＤの残度数情報３８ｂからも「玉貸し処理」により減算された分の度数を減算する更新を行い、この時、リーダライタ３５に保持中のプリペイドカードの残度数が「０」になった場合には、搬送／繰出機構部３７にプリペイドカードの収納指示を行ってリーダライタ３５に保持されたプリペイドカードをカード収納部３６に搬送させ、また、保持中のプリペイドカードの残度数が「０」にならなかった場合には、玉貸し待機状態に戻る。
【００７１】
また、玉貸し処理部３９ａは、貸出ボタン３０６の押下を通じて玉貸し要求を受け付けずに返却ボタン３０７の押下を通じてプリペイドカードの返却要求を受け付けたならば、搬送／繰出機構部３７に対してプリペイドカードの返却指示を行って当該プリペイドカードをカード挿入口３０９に繰り出させる。
【００７２】
このようにして、プリペイドカード管理Ｔ／Ｃ１０とは独立して、対Ｔ／Ｃ通信不能時に備えてＣＲユニット３０にてプリペイドカードの残度数を分散管理するとともに、そのプリペイドカードの残度数問合せ先が当該ＣＲユニット３０であることをカード精算機６０に把握させることができるようにしている。
【００７３】
精算履歴通知部３９ｃは、プリペイドカード管理Ｔ／Ｃ１０との通信が途絶してから通信が復旧したことを検知した場合に、カード精算機６０による精算結果の履歴をプリペイドカード管理Ｔ／Ｃ１０に通知する処理部である。具体的には、記憶部３８に記憶された残度数情報３８ｂのうち、後述するカード精算機６０によるプリペイドカードの精算処理にて精算が行われたものの精算結果をプリペイドカード管理Ｔ／Ｃ１０に事後的に通知する。
【００７４】
（２）カード精算機の構成
次に、実施例１に係るカード精算機６０の構成を説明する。なお、ここでは、このカード精算機６０の外観構成を説明してから内部構成を説明する。図５は、実施例１に係るカード精算機６０の外観を示した正面図である。
【００７５】
同図に示すように、カード精算機６０は、筐体６１０の前面に設けた扉体６１１に、上から順に表示部６２０と、カード挿入／返却口６２５と、確認ボタン６３０と、取消ボタン６３５と、紙幣払出口６４０と、硬貨払出口６４５とを備えている。
【００７６】
表示部６２０は、カード挿入／返却口６２５を通じて内部に受け入れたプリペイドカードの残度数やそのプリペイドカードを貨幣に精算した際の精算金額などのプリペイドカードの精算に係る内容を表示する液晶表示部（ＬＣＤ）である。なお、表示項目は、必要な項目の組合せもしくは全ての項目を表示するようにしてもよいし、いずれかの項目のみを表示するようにしてもよい。
【００７７】
カード挿入／返却口６２５は、遊技客により挿入されるプリペイドカードや会員カードなどの各種カードを受け入れて、これらのカードをリーダライタ６４ａに取り込む内部の搬送／繰出機構（図示しない）と連動してカードの挿入並び返却を行うためのものである。
【００７８】
硬貨払出口６４５は、後述する硬貨処理部６２ａ及びホッパ６２ｂと連動して硬貨を外部に投出するための投出口である。また、同様に、紙幣払出口６４０は、後述する紙幣処理部６３ａ、紙幣収納部６３ｂ及び紙幣払出部６３ｃと連動して紙幣を外部に払い出すための開口部である。
【００７９】
確認ボタン６３０および取消ボタン６３５は、それぞれ外部操作入力部として付設されたものであり、遊技客によって押下操作に応答して精算実行指示又は精算取消指示を後述する精算処理部６５ｃに与えるボタンである。このうち、確認ボタン６３０は、プリペイドカードの残度数を精算するという遊技客の意思、すなわち精算実行指示を受け付けるものであり、また、取消ボタン６３５は、プリペイドカードの残度数を精算しないという遊技客の意思、すなわち精算取消指示（カード返却指示）を受け付けるものである。
【００８０】
次に、図６を用いて、実施例１に係るカード精算機６０の内部構成を説明する。図６は、実施例１のカード精算機６０の内部構成を示す機能ブロック図である。同図に示すように、このカード精算機６０は、通信制御ＩＦ部６１と、硬貨処理部６２ａと、ホッパ６２ｂと、紙幣処理部６３ａと、紙幣収納部６３ｂと、紙幣払出部６３ｃと、リーダライタ６４ａと、カード収納部６４ｂと、制御部６５とを備える。
【００８１】
このうち、通信制御ＩＦ部６１は、当該カード精算機６０と他の装置（例えば、プリペイドカード管理Ｔ／Ｃ１０、島コントローラ２０やＣＲユニット３０などの装置）の間で各種通信の制御を行う処理部である。
【００８２】
硬貨処理部６２ａは、ホッパ６２ｂ内に補填された１００円／５００円硬貨を硬貨払出口６４５から払出すように制御する処理部である。具体的には、後述する精算処理部６５ｃによる硬貨払出し指示に応答してその指示金額分の硬貨をホッパ６２ｂに投出させる。
【００８３】
紙幣処理部６３ａは、紙幣収納部６３ｂ内に収納された紙幣を紙幣払出口６４０から払出すように制御する処理部である。具体的には、後述する精算処理部６５ｃによる紙幣払出し指示に応答してその指示金額分の紙幣を払出すように紙幣払出部６３ｃに指示し、紙幣収納部６３ｂから紙幣を払い出させる。
【００８４】
このように、本実施例１では、１０００円未満のものは硬貨処理部６２ａが払出しを担い、１０００円以上のものは紙幣処理部６３ａが払出しを担うように精算処理部６５ｃにて払出し内訳を決定された払出し指示を受け取る構成とするが、精算処理部６５ｃには精算金額のみを硬貨処理部６２ａ又は紙幣処理部６３ａに出力させ、これら硬貨処理部６２ａ及び紙幣処理部６３ａで協働してそれぞれが任意の内訳で最終的に精算金額となるように貨幣を払出させるようにしてもよい。
【００８５】
リーダライタ６４ａは、カード挿入／返却口６２５から挿入されたプリペイドカードや会員カードなどの各種カードの読取り及び書込みを行うリーダライタである。具体的には、ＩＣカード化されたプリペイドカードから記録情報を読み取ったり、また、プリペイドカードに情報を書き込んだりする。なお、ここでは、ＩＣカード化されたプリペイドカードを遊技用記録媒体として用いる説明しているが、本発明はこれに限定されるものではなく、磁気記録媒体、その他の記録媒体を用いてもよい。
【００８６】
カード収納部６４ｂは、カード精算機６０にて精算が行われたプリペイドカードを収納する収納部である。具体的には、精算処理部６５ｃにて貨幣払出しによる精算が既に行われているので、度数が価値付けられていないプリペイドカードのみが回収されている。
【００８７】
制御部６５は、カード精算機６０の全体制御を司る制御部であり、特に本発明に密接に関連するものとしては、精算モード設定部６５ａ、残度数問合せ部６５ｂ及び精算処理部６５ｃを備える。
【００８８】
このうち、精算モード設定部６５ａは、プリペイドカード管理Ｔ／Ｃ１０との通信状況に応じて、「通常精算モード」又は「緊急精算モード」のいずれかを当該カード精算機６０の精算モードとして設定する処理部である。具体的には、当該カード精算機６０がプリペイドカード管理Ｔ／Ｃ１０と通信することが可能か否かを監視しており、プリペイドカード管理Ｔ／Ｃ１０との通信が可能である場合（対Ｔ／Ｃ通信可能時）には、「通常精算モード」を設定し、また、プリペイドカード管理Ｔ／Ｃ１０との通信が不可能である場合（対Ｔ／Ｃ通信不能時）には、「緊急精算モード」を設定する。
【００８９】
これらの「精算モード」は、カード精算機６０に挿入されたプリペイドカードの残度数を問合せる対象をプリペイドカード管理Ｔ／Ｃ１０もしくはＣＲユニット３０のいずれにするかを定めたものであり、後述する残度数問合せ部６５ｂの動作に連動している。
【００９０】
残度数問合せ部６５ｂは、精算モード設定部６５ａにより設定された「精算モード」によって挿入中のプリペイドカードの残度数の問合せ先を切替えて残度数の問合せを行う処理部である。この詳細は、精算処理部６５ｃと協働して行う精算処理の動作を説明する際に併せて説明するが要約すると、「精算モード」が「通常精算モード」に設定されている場合には、プリペイドカード管理Ｔ／Ｃ１０に挿入中のプリペイドカードの残度数を問合せ、また、「精算モード」が「緊急精算モード」に設定されている場合には、挿入中のプリペイドカードに書き込まれている台番号に対応したＣＲユニット３０に対して当該プリペイドカードの残度数を問合せる。
【００９１】
精算処理部６５ｃは、カード精算機６０に挿入されたプリペイドカードを貨幣に精算する処理部である。具体的には、残度数問合せ部６５ｂによる問合せの応答結果として得られたプリペイドカードの残度数に相当する精算金額の貨幣を硬貨処理部６２ａ及び紙幣処理部６３ａを通じて払出すように制御する。
【００９２】
ここで、残度数問合せ部６５ｂ及び精算処理部６５ｃによる精算処理の動作を上記した精算モード別に説明する。先に既存技術と同様である「通常精算モード」設定時の精算処理を説明すると、カード精算機６０にてカード挿入／返却口６２５を通じてプリペイドカードを受け入れると、残度数問合せ部６５ｂは、そのプリペイドカードからリーダライタ６４ａを通じてプリペイドカードＩＤ及び台番号を読取り、このプリペイドカードＩＤに対応する残度数をプリペイドカード管理Ｔ／Ｃ１０に問合せる。
【００９３】
一方、この残度数問合せを受け付けたプリペイドカード管理Ｔ／Ｃ１０では、該当プリペイドカードＩＤの残度数をカード精算機６０に応答し、この問合せ応答を受け付けた残度数問合せ部６５ｂは、当該プリペイドカードの残度数及びその残度数に相当する精算金額を精算項目として表示部６２０に表示させる。
【００９４】
続いて、カード精算機６０にて確認ボタン６３０の押下操作を通じて精算実行指示を受け付けると、精算処理部６５ｃは、当該プリペイドカードＩＤについての精算完了通知をプリペイドカード管理Ｔ／Ｃ１０に行い、この精算完了通知を受け付けたプリペイドカード管理Ｔ／Ｃ１０では、該当プリペイドカードＩＤの精算が完了した旨を登録する。
【００９５】
さらに、カード精算機６０における精算処理部６５ｃは、挿入中のプリペイドカードから読み取った台番号に対応するＣＲユニット３０に対して、当該プリペイドカードＩＤに関する残度数を消込むように依頼し、この消込み依頼を受け付けたＣＲユニット３０は、該当プリペイドカードＩＤの残度数情報を記憶部３８から消去する。
【００９６】
その後、精算処理部６５ｃは、リーダライタ６４ａを通じて挿入中のプリペイドカードに書き込まれている台番号を消去し、そのプリペイドカードをカード収納部６４ｂに収納してから、プリペイドカードの残度数に相当する精算金額分の貨幣を硬貨処理部６２ａ及び紙幣処理部６３ａを通じて払出す。
【００９７】
次に、残度数問合せ部６５ｂ及び精算処理部６５ｃによる「緊急精算モード」設定時の精算処理を説明する。かかる「緊急精算モード」設定時には、カード精算機６０とプリペイドカード管理Ｔ／Ｃ１０の間で通信を行うことが不可能であるので、カード精算機６０、ＣＲユニット３０間のみのシーケンスとなる。
【００９８】
これを具体的に説明すると、カード精算機６０にてカード挿入／返却口６２５を通じてプリペイドカードを受け入れると、残度数問合せ部６５ｂは、そのプリペイドカードからリーダライタ６４ａを通じてプリペイドカードＩＤ及び台番号を読取り、読み取った台番号に対応するＣＲユニット３０に対してそのプリペイドカードＩＤに対応する残度数を問合せる。
【００９９】
一方、この残度数問合せを受け付けたＣＲユニット３０では、記憶部３８に記憶した残度数情報３８ｂのうち該当プリペイドカードＩＤの残度数をカード精算機６０に応答し、この問合せ応答を受け付けた残度数問合せ部６５ｂは、当該プリペイドカードの残度数及びその残度数に相当する精算金額を精算項目として表示部６２０に表示させる。
【０１００】
続いて、カード精算機６０にて確認ボタン６５０の押下操作を通じて精算実行指示を受け付けると、精算処理部６５ｃは、当該プリペイドカードＩＤについての精算完了通知を読取り台番号に対応する先のＣＲユニット３０に行い、この精算完了通知を受け付けたＣＲユニット３０では、記憶部３８に記憶した残度数情報３８ｂのうち該当プリペイドカードＩＤの精算が完了した旨を登録する。
【０１０１】
その後、カード精算機６０における精算処理部６５ｃは、リーダライタ６４ａを通じて挿入中のプリペイドカードに書き込まれている台番号を消去し、そのプリペイドカードをカード収納部６４ｂに収納してから、プリペイドカードの残度数に相当する精算金額分の貨幣を硬貨処理部６２ａ及び紙幣処理部６３ａを通じて払出す。
【０１０２】
［処理の流れ］
次に、本実施例１に係るプリペイドカード管理システム３の各種処理の手順を説明する。なお、ここでは、ＣＲユニット３０にて行われる（１）基本制御処理を説明し、カード精算機６０にて行われる（２）精算モード設定処理を説明した後に、（３）通常精算モード設定時における精算処理、次いで（４）緊急精算モード設定時における精算処理を説明してから、最後に、ＣＲユニット３０及びプリペイドカード管理Ｔ／Ｃ１０の間で行われる（５）精算履歴通知処理を説明する。
【０１０３】
（１）基本制御処理
前述したように、ここでは、図７を用いて、実施例１に係るＣＲユニット３０の基本制御処理を説明する。図７は、実施例１に係るＣＲユニット３０の基本制御処理の手順を示すフローチャートである。この基本制御処理は、ＣＲユニット３０の電源がＯＮ状態である限り、再帰的に行われる処理である。
【０１０４】
同図に示すように、ＣＲユニット３０は、紙幣挿入口３０８より紙幣が挿入されると（ステップＳ７０１肯定）、搬送／繰出機構部３７を通じてカード収納部３６に収納された内蔵のプリペイドカードがリーダライタ３５に繰り出され、玉貸し処理部３９ａは、ＢＶユニット部３４にて判別された挿入紙幣の金額を当該プリペイドカードに価値付け（ステップＳ７０２）、台間機情報格納部３９ｂは、リーダライタ３５を通じて記憶部３８に記憶された台番号情報３８ａをプリペイドカードに書き込む（ステップＳ７０３）。
【０１０５】
そして、玉貸し処理部３９ａは、価値付けたプリペイドカードのプリペイドカードＩＤ及びその残度数を記憶部３８における残度数情報３８ｂに登録し（ステップＳ７０４）、そのうち残度数を７ＳＥＧ表示部３０４に表示させる（ステップＳ７０５）。
【０１０６】
一方、カード挿入口３０９よりプリペイドカードが挿入されると（ステップＳ７０１否定かつステップＳ７０６肯定）、玉貸し処理部３９ａは、挿入されたプリペイドカードのプリペイドカードＩＤに対応する残度数をプリペイドカード管理Ｔ／Ｃ１０に問合せ（ステップＳ７０７）、当該プリペイドカードの残度数が「０」であれば（ステップＳ７０８肯定）、搬送／繰出機構部３７に対してプリペイドカードの返却指示を行って当該プリペイドカードをカード挿入口３０９に繰り出させる（ステップＳ７０９）。
【０１０７】
また、当該プリペイドカードの残度数が「０」でなければ（ステップＳ７０８否定）、台間機情報格納部３９ｂが、リーダライタ３５を通じて記憶部３８に記憶された台番号情報３８ａをプリペイドカードに書き込んだ後に（ステップＳ７０３）、玉貸し処理部３９ａは、挿入を受け入れたプリペイドカードのプリペイドカードＩＤ及びその残度数を記憶部３８における残度数情報３８ｂに登録し（ステップＳ７０４）、この残度数を７ＳＥＧ表示部３０４に表示させる（ステップＳ７０５）。
【０１０８】
その後、貸出ボタン３０６の押下を通じて玉貸し要求を受け付けた場合（ステップＳ７１０肯定）に、プリペイドカード管理Ｔ／Ｃ１０との通信が可能であれば（ステップＳ７１１肯定）、玉貸し処理部３９ａは、リーダライタ３５に保持されたプリペイドカードのプリペイドカードＩＤに対応する残度数を所定の度数分について減算するようにプリペイドカード管理Ｔ／Ｃ１０に指示し、この度数減算が完了した後にパチンコ機４０に所定の度数分のパチンコ玉を投出するように指示する「玉貸し処理」を行う（ステップＳ７１２）。なお、プリペイドカード管理Ｔ／Ｃ１０との通信が不可能であれば（ステップＳ７１１否定）、状態表示ランプ３０１を「赤点灯」させることにより玉貸し禁止状態である旨を報知し（ステップＳ７１３）、上記したステップＳ７０５に戻る。
【０１０９】
続いて、玉貸し処理部３９ａは、ＣＲユニット３０の記憶部３８に記憶された該当プリペイドカードＩＤの残度数情報３８ｂからも「玉貸し処理」により減算された分の度数を減算する更新を行い（ステップＳ７１４）、この時、リーダライタ３５に保持中のプリペイドカードの残度数が「０」になった場合（ステップＳ７１５肯定）には、搬送／繰出機構部３７にプリペイドカードの収納指示を行ってリーダライタ３５に保持されたプリペイドカードをカード収納部３６に搬送させ（ステップＳ７１６）、処理を終了する。
【０１１０】
また、保持中のプリペイドカードの残度数が「０」にならなかった場合（ステップＳ７１５否定）には、上記したステップＳ７０５〜ステップＳ７１４までの処理を繰り返し行う。
【０１１１】
（２）精算モード設定処理
次に、図８を用いて、実施例１に係る精算モード設定処理を説明する。図８は、実施例１に係る精算モード設定処理の手順を示すフローチャートである。この「精算モード設定処理」は、カード精算機６０の電源ＯＮ時にプリペイドカード管理Ｔ／Ｃ１０とのコネクションが張られ、「通常精算モード」が設定された状態で開始され、電源がＯＦＦ状態になるまで回帰的に行われる処理である。
【０１１２】
同図に示すように、精算モード設定部６５ａは、当該カード精算機６０がプリペイドカード管理Ｔ／Ｃ１０と通信を行うことが可能であるか否かを監視し（ステップＳ８０１）、プリペイドカード管理Ｔ／Ｃ１０と通信を行うことが不可能な場合（ステップＳ８０１肯定）には、カード精算機６０の精算モードを「通常精算モード」から「緊急精算モード」に移行させる（ステップＳ８０２）。
【０１１３】
その後、プリペイドカード管理Ｔ／Ｃ１０との通信が復旧した場合（ステップＳ８０３肯定）には、精算モード設定部６５ａは、カード精算機６０の精算モードを「緊急精算モード」から「通常精算モード」に移行させ（ステップＳ８０４）、上記したステップＳ８０１〜Ｓ８０４までの処理をカード精算機６０の電源がＯＦＦ状態になるまで繰り返し行う。
【０１１４】
（３）通常精算モード設定時における精算処理
次に、図９を用いて、実施例１に係る通常精算モード設定時における精算処理を説明する。図９は、実施例１に係る通常精算モード設定時における精算処理に関するプリペイドカード管理Ｔ／Ｃ１０、ＣＲユニット３０及びカード精算機６０間の制御シーケンスを示す図である。この処理は、カード精算機６０が「通常精算モード」に設定されている場合にのみ行われるものである。
【０１１５】
同図に示すように、カード精算機６０にてカード挿入／返却口６２５を通じてプリペイドカードを受け入れると（ステップＳ９０１）、残度数問合せ部６５ｂは、そのプリペイドカードからリーダライタ６４ａを通じてプリペイドカードＩＤ及び台番号を読取り（ステップＳ９０２）、このプリペイドカードＩＤに対応する残度数をプリペイドカード管理Ｔ／Ｃ１０に問合せる（ステップＳ９０３）。
【０１１６】
一方、この残度数問合せを受け付けたプリペイドカード管理Ｔ／Ｃ１０では、該当プリペイドカードＩＤの残度数をカード精算機６０に応答し（ステップＳ９０５）、この問合せ応答を受け付けた残度数問合せ部６５ｂは、当該プリペイドカードの残度数及びその残度数に相当する精算金額を精算項目として表示部６２０に表示させる（ステップＳ９０６）。
【０１１７】
続いて、カード精算機６０にて確認ボタン６３０の押下操作を通じて精算実行指示を受け付けると（ステップＳ９０７）、精算処理部６５ｃは、当該プリペイドカードＩＤについての精算完了通知をプリペイドカード管理Ｔ／Ｃ１０に行い（ステップＳ９０８）、この精算完了通知を受け付けたプリペイドカード管理Ｔ／Ｃ１０では、該当プリペイドカードＩＤの精算が完了した旨を登録する（ステップＳ９０９）。
【０１１８】
さらに、カード精算機６０における精算処理部６５ｃは、挿入中のプリペイドカードから読み取った台番号に対応するＣＲユニット３０に対して、当該プリペイドカードＩＤに関する残度数を消込むように依頼し（ステップＳ９１０）、この消込み依頼を受け付けたＣＲユニット３０は、該当プリペイドカードＩＤの残度数情報を記憶部３８から消去する（ステップＳ９１１）。なお、ＣＲユニット３０への消し込み依頼は、カード精算機６０からではなく、プリペイドカード管理Ｔ／Ｃ１０から行うようにしてもよい。
【０１１９】
その後、精算処理部６５ｃは、挿入中のプリペイドカードに書き込まれている台番号をリーダライタ６４ａを通じて消去し（ステップＳ９１２）、そのプリペイドカードをカード収納部６４ｂに収納してから（ステップＳ９１３）、プリペイドカードの残度数に相当する精算金額分の貨幣を硬貨処理部６２ａ及び紙幣処理部６３ａを通じて払出し（ステップＳ９１４）、処理を終了する。
【０１２０】
このように、「通常精算モード」設定時には、プリペイドカード管理Ｔ／Ｃ１０に対してプリペイドカードの残度数問合せ及び精算完了登録が行われ、ＣＲユニット３０に記憶された該当プリペイドカードＩＤの残度数は消去される。
【０１２１】
（４）緊急精算モード設定時における精算処理
次に、図１０を用いて、実施例１に係る緊急精算モード設定時における精算処理を説明する。図１０は、実施例１に係る緊急精算モード設定時における精算処理に関するＣＲユニット３０及びカード精算機６０間の制御シーケンスを示す図である。この処理は、カード精算機６０が「緊急精算モード」に設定されている場合にのみ行われるものである。
【０１２２】
同図に示すように、カード精算機６０にてカード挿入／返却口６２５を通じてプリペイドカードを受け入れると（ステップＳ１００１）、残度数問合せ部６５ｂは、そのプリペイドカードからリーダライタ６４ａを通じてプリペイドカードＩＤ及び台番号を読取り（ステップＳ１００２）、読み取った台番号に対応するＣＲユニット３０に対してそのプリペイドカードＩＤに対応する残度数を問合せる（ステップＳ１００３）。
【０１２３】
一方、この残度数問合せを受け付けたＣＲユニット３０では、記憶部３８に記憶した残度数情報３８ｂのうち該当プリペイドカードＩＤの残度数をカード精算機６０に応答し（ステップＳ１００４）、この問合せ応答を受け付けた残度数問合せ部６５ｂは、当該プリペイドカードの残度数及びその残度数に相当する精算金額を精算項目として表示部６２０に表示させる（ステップＳ１００５）。
【０１２４】
続いて、カード精算機６０にて確認ボタン６３０の押下操作を通じて精算実行指示を受け付けると（ステップＳ１００６）、精算処理部６５ｃは、当該プリペイドカードＩＤについての精算完了通知を読取り台番号に対応する先のＣＲユニット３０に行い（ステップＳ１００７）、この精算完了通知を受け付けたＣＲユニット３０では、記憶部３８に記憶した残度数情報３８ｂのうち該当プリペイドカードＩＤの精算が完了した旨を登録する（ステップＳ１００８）。
【０１２５】
その後、カード精算機６０における精算処理部６５ｃは、挿入中のプリペイドカードに書き込まれている台番号をリーダライタ６４ａを通じて消去し（ステップＳ１００９）、そのプリペイドカードをカード収納部６４ｂに収納してから（ステップＳ１０１０）、プリペイドカードの残度数に相当する精算金額分の貨幣を硬貨処理部６２ａ及び紙幣処理部６３ａを通じて払出し（ステップＳ１０１１）、処理を終了する。
【０１２６】
このように、「緊急精算モード」設定時には、精算要求を受け付けたプリペイドカードに書き込まれている台番号に対応するＣＲユニットに対してプリペイドカードの残度数問合せ及び精算完了登録が行われる。なお、後述するように、ＣＲユニット３０に記憶された該当プリペイドカードＩＤの精算完了情報は、ＣＲユニット３０及びプリペイドカード管理Ｔ／Ｃ１０の間で通信を行うことが可能となった時点にプリペイドカード管理Ｔ／Ｃ１０に通知される。
【０１２７】
（５）精算履歴通知処理
次に、図１１を用いて、実施例１に係る精算履歴通知処理を説明する。図１１は、実施例１に係る精算履歴通知処理に関するプリペイドカード管理Ｔ／Ｃ１０及びＣＲユニット３０間の制御シーケンスを示す図である。この精算履歴通知処理は、ＣＲユニット３０とプリペイドカード管理Ｔ／Ｃ１０の通信が一旦途絶してから通信が復旧したことを検知した場合に開始される。
【０１２８】
同図に示すように、ＣＲユニット３０及びプリペイドカード管理Ｔ／Ｃ１０の双方にて、コネクションの確立が確認されると（ステップＳ１１０１Ａ及びステップＳ１１０１Ｂ）、ＣＲユニット３０における精算履歴通知部３９ｃは、記憶部３８に記憶された残度数情報３８ｂのうち、カード精算機６０により「緊急精算モード」設定時に精算完了登録が行われたプリペイドカードＩＤの精算残度数もしくはその精算金額などの精算内容をプリペイドカード管理Ｔ／Ｃ１０に通知する（ステップＳ１１０２）。
【０１２９】
一方、この精算内容の通知を受け付けたプリペイドカード管理Ｔ／Ｃ１０では、該当プリペイドカードＩＤの精算内容を所定のデータベースに登録し（ステップＳ１１０３）、該プリペイドカードＩＤの精算内容の消込み依頼をＣＲユニット３０に通知する（ステップＳ１１０４）。
【０１３０】
また、この消込み依頼を受け付けたＣＲユニット３０では、記憶部３８に記憶された残度数情報３８ｂのうち該当プリペイドカードＩＤの精算残度数もしくはその精算金額などの精算内容を消去し（ステップＳ１１０５）、処理を終了する。
【０１３１】
上述してきたように、本実施例１に係るプリペイドカード管理システム３によれば、対Ｔ／Ｃ通信不能時に備えてＣＲユニット３０にてプリペイドカードの残度数を分散管理し、対Ｔ／Ｃ通信不能時には、プリペイドカード管理Ｔ／Ｃ１０の代わりにＣＲユニット３０にプリペイドカードの残度数を問合せるように構成したので、対Ｔ／Ｃ通信不能時でもプリペイドカードの残度数を把握することができ、カード精算機６０とプリペイドカード管理Ｔ／Ｃ１０の間で通信を行うことが不可能になった場合でも、プリペイドカードの精算を行うことが可能である。
【０１３２】
また、本実施例１に係るプリペイドカード管理システム３によれば、ＣＲユニット３０のメモリなどの記憶装置にてプリペイドカードＩＤに残度数を対応付けて記憶させ、対Ｔ／Ｃ通信不能時におけるカード精算機６０の残度数問合せ先を変更するというソフトウェア的な改変のみで本発明の機能を発揮するように構成したので、遊技店の設備投資費用を増大させることなく、プリペイドカードの精算を行うことが可能である。
【０１３３】
さらに、本実施例１に係るプリペイドカード管理システム３によれば、プリペイドカードの残度数の精算結果の履歴をＣＲユニット３０にて蓄積し、ＣＲユニット３０とプリペイドカード管理Ｔ／Ｃ１０の通信が復旧した場合に、ＣＲユニット３０にて蓄積したプリペイドカードの精算結果の履歴をプリペイドカード管理Ｔ／Ｃ１０に通知するように構成したので、カード精算機６０とプリペイドカード管理Ｔ／Ｃ１０の間で通信を行うことが不可能になった場合でもプリペイドカードの精算状況を正確に管理することができ、プリペイドカード管理Ｔ／Ｃ１０にてプリペイドカードによる売上情報を適正に管理させることが可能である。
【実施例２】
【０１３４】
さて、これまで本発明の実施例について説明したが、本発明は上述した実施例以外にも、種々の異なる形態にて実施されてよいものである。そこで、以下では、本発明に含まれる他の実施例を説明する。
【０１３５】
（１）プリペイドカードの取扱い端末
上記した実施例１では、プリペイドカード管理Ｔ／Ｃ１０が管理するプリペイドカードの残度数を取り扱う取扱い端末として、プリペイドカードの精算を行うカード精算機６０を例示したが、本発明はこれに限定されるものではなく、プリペイドカードによる玉貸しを行うＣＲユニット３０、その他の装置（例えば、プリペイドカードの残度数を確認する表示器など）であってもかまわない。
【０１３６】
例えば、対Ｔ／Ｃ通信不能時に備えてＣＲユニット３０にてプリペイドカードの残度数を分散管理しつつも、ＣＲユニット３０がプリペイドカード管理Ｔ／Ｃ１０と通信を行うことが不可能である場合に、挿入中のプリペイドカードから読み取られた台番号に対応するＣＲユニット３０に対して、当該プリペイドカードの残度数を問合せ、この読取り台番号に対応するＣＲユニット３０の応答により得られたプリペイドカードの残度数に基づいてパチンコ玉の貸出し処理を行うようにＣＲユニット３０を構成することで、対Ｔ／Ｃ通信不能時でもプリペイドカードの残度数をＣＲユニット３０にて把握することができ、ＣＲユニット３０とプリペイドカード管理Ｔ／Ｃ１０の間で通信を行うことが不可能になった場合でも、プリペイドカードによる遊技媒体の貸出しを行うことが可能である。
【０１３７】
このように、プリペイドカード管理Ｔ／Ｃ１０が管理するプリペイドカードの残度数を取り扱う取扱い端末（例えば、ここで説明したＣＲユニット３０やカード精算機６０など）がプリペイドカード管理Ｔ／Ｃ１０と通信を行うことが不可能である場合に、挿入中のプリペイドカードから読み取られた台番号に対応するＣＲユニット３０に対して、当該プリペイドカードの残度数を問合せ、この読取り台番号に対応するＣＲユニット３０の応答により得られたプリペイドカードの残度数の取扱い処理を行うことで、プリペイドカードの残度数を取扱い端末にて把握することができ、プリペイドカードの精算やプリペイドカードによる玉貸しなどプリペイドカードに関する取扱い処理を行うことが可能である。
【０１３８】
また、上記した実施例１では、プリペイドカードの残度数の精算結果の履歴をＣＲユニット３０にて蓄積することとしたが、本発明はこれに限定されるものではなく、カード精算機６０にてプリペイドカードの残度数の精算結果の履歴を蓄積するようにしてもよい。
【０１３９】
さらに、上記した実施例１では、プリペイドカードの残度数の精算結果の履歴を蓄積することとしたが、本発明はこれに限定されるものではなく、プリペイドカードによる貸出し結果の履歴を蓄積し、プリペイドカード管理Ｔ／Ｃ１０との通信が復旧したと判定した場合に、蓄積した貸出し結果の履歴をプリペイドカード管理Ｔ／Ｃ１０に通知するようにしてもよい。
【０１４０】
すなわち、これによって、ＣＲユニット３０とプリペイドカード管理Ｔ／Ｃ１０管理装置の間で通信を行うことが不可能になった場合でもプリペイドカードによる遊技媒体の貸出し状況を正確に管理することができ、プリペイドカード管理Ｔ／Ｃ１０にてプリペイドカードによる売上情報を適正に管理させることが可能である。
【０１４１】
なお、上記した実施例１では、本発明をパチンコ遊技を対象とする遊技システムに適用する実施例について説明したが、本発明はこれに限定されるものではなく、さらに、パチスロ遊技を対象に加えた遊技システム、また、パチスロ遊技のみを対象とした遊技システムのいずれであっても同様に本発明を適用することができる。
【０１４２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４４】
以上のように、本発明に係る遊技用記録媒体管理システム及び遊技用記録媒体管理方法は、遊技用記録媒体の取扱い端末と管理装置の間で通信を行うことが不可能になった場合でも、遊技用記録媒体に関する取扱い処理を行うことができる遊技用記録媒体管理システム及び遊技用記録媒体管理方法に適している。
【図面の簡単な説明】
【０１４５】
【図１】実施例１に係る遊技システムのシステム構成を示すシステム構成図である。
【図２】実施例１に係るプリペイドカード管理システムの特徴を説明するための説明図である。
【図３】実施例１に係るＣＲユニット３０の外観構成を示す正面図である。
【図４】実施例１に係るＣＲユニット３０の内部構成を示すブロック図である。
【図５】実施例１に係るカード精算機６０の外観を示した正面図である。
【図６】実施例１のカード精算機６０の内部構成を示す機能ブロック図である。
【図７】実施例１に係るＣＲユニット３０の基本制御処理の手順を示すフローチャートである。
【図８】実施例１に係る精算モード設定処理の手順を示すフローチャートである。
【図９】実施例１に係る通常精算モード設定時における精算処理に関するプリペイドカード管理Ｔ／Ｃ１０、ＣＲユニット３０及びカード精算機６０間の制御シーケンスを示す図である。
【図１０】実施例１に係る緊急精算モード設定時における精算処理に関するＣＲユニット３０及びカード精算機６０間の制御シーケンスを示す図である。
【図１１】実施例１に係る精算履歴通知処理に関するプリペイドカード管理Ｔ／Ｃ１０及びＣＲユニット３０間の制御シーケンスを示す図である。
【符号の説明】
【０１４６】
１    遊技システム
３    プリペイドカード管理システム
１０    プリペイドカード管理Ｔ／Ｃ
２０    島コントローラ
３０    ＣＲユニット（カード処理ユニット）
３１    表示部
３２    入力部
３３    通信制御ＩＦ部
３４    ＢＶユニット部
３５    リーダライタ
３６    カード収納部
３７    搬送／繰出機構部
３８    記憶部
３９    制御部
３９ａ  玉貸し処理部
３９ｂ  台間機情報格納部
３９ｃ  精算履歴通知部
４０    パチンコ機
５０    カード発行機
６０    カード精算機
６１    通信制御ＩＦ部
６２ａ  硬貨処理部
６２ｂ  ホッパ
６３ａ  紙幣処理部
６３ｂ  紙幣収納部
６３ｃ  紙幣払出部
６４ａ  リーダライタ
６４ｂ  カード収納部
６５    制御部
６５ａ  精算モード設定部
６５ｂ  残度数問合せ部
６５ｃ  精算処理部
【図１】
2008036123.tif 000003
【図２】
2008036123.tif 000004
【図３】
2008036123.tif 000005
【図４】
2008036123.tif 000006
【図５】
2008036123.tif 000007
【図６】
2008036123.tif 000008
【図７】
2008036123.tif 000009
【図８】
2008036123.tif 000010
【図９】
2008036123.tif 000011
【図１０】
2008036123.tif 000012
【図１１】
2008036123.tif 000013